(57)【要約】【課題】薄い構造で、小型軽量で、保管や持ち運びに便利な常備性のあるフォイルカッターを提供する。【解決手段】フォイルで密封されているワインボトルの上部を通す略円形の孔５０を片側に有する本体部１と、孔側部２、３における本体部１寄りの場所に、孔５０の内側に向けてそれぞれ対称の位置に設けられた、フォイルを切断するための２つのカッター４、５とを備える。使用者がワインボトルを手で固定した状態で、本体部１の部分を持って孔５０の方向に押しながら、左右のいずれかの方向にフォイルカッター１００を回転させると、フォイルがカッター４、５によって切断される。【選択図】図１
0003159430.tif 000002
【実用新案登録請求の範囲】
【請求項１】
ボトルのフォイルを開封するためのフォイルカッターであって、
前記フォイルを通す孔を片側に有する本体部と、
前記孔の内側に向けて、前記本体部寄りの側部に設けられた複数のカッターと、
を備えることを特徴とするフォイルカッター。
【請求項２】
ボトルのフォイルを開封するためのフォイルカッターであって、
本体部と、
前記フォイルを挟むように、前記本体部に接続された２つの突起部と、
前記２つの突起部における前記本体部寄りの側部に、内側に向けてそれぞれ設けられた複数のカッターと、
を備えることを特徴とするフォイルカッター。
【考案の詳細な説明】
【技術分野】
【０００１】
本考案は、主にワインボトルのフォイルを開封するためのフォイルカッターに関するものである。
【背景技術】
【０００２】
ワインボトルなどを密封しているフォイルを開封するためのフォイルカッターについては、いくつかの構成が提案されている。例えば、特許文献１に示された従来のフォイルカッターでは、合成樹脂材製オープナー本体を略Ｕ字形状に形成して開放部両側の圧持片の連結部分を弾力性を有した連結体で構成するとともに、上体と下体に二分割し、これを接着して上記本体を構成し、この上体と下体の接合面にはカッター装置台を形成してそのいずれか一方に固定突部を突出させるとともに結合孔を形成し、かつ他方にカッター支持溝と軸棒を形成し、中心にこの軸棒に対応する軸孔を形成してなるフォイルカッターを当該軸棒に挿通させつつ支持させてある。
【先行技術文献】
【特許文献】
【０００３】
【特許文献１】実願平１０−６３０号公報
【考案の概要】
【考案が解決しようとする課題】
【０００４】
しかしながら、従来のフォイルカッターでは、構造が複雑なため、かさばって重量も大きくなり、保管や持ち運びに不便で、一般に高価なものとなるという問題がある。今日では、酒類ではビール以外にワインも屋内だけではなく屋外で飲食するのが一般化しているが、特に屋外においては上記の事情等により、フォイルカッターはまだそれほどワインボトルのフォイルを開封する器具として一般化していない。また、ローラー式のカッターを備えたフォイルカッターにおいては、洗浄が困難なこと、カッターが錆びやすいこと、さらに、異物が混入して回転不良となること等の問題もある。
【０００５】
本考案は、上述した問題点に鑑み、薄い構造で、小型軽量で、保管や持ち運びに便利な常備性のあるフォイルカッターを提供することを目的としている。
【課題を解決するための手段】
【０００６】
本考案に係るフォイルカッターは、ボトルのフォイルを開封するためのフォイルカッターであって、前記フォイルを通す孔を片側に有する本体部と、前記孔の内側に向けて、前記本体部寄りの側部に設けられた複数のカッターと、を備えることを特徴とする。
【０００７】
また、本考案に係るフォイルカッターは、ボトルのフォイルを開封するためのフォイルカッターであって、本体部と、前記フォイルを挟むように、前記本体部に接続された２つの突起部と、前記２つの突起部における前記本体部寄りの側部に、内側に向けてそれぞれ設けられた複数のカッターと、を備えることを特徴とする。
【考案の効果】
【０００８】
本考案に係るフォイルカッターによれば、薄い構造で、小型軽量で、保管や持ち運びに便利な常備性のあるフォイルカッターを実現できる。
【図面の簡単な説明】
【０００９】
【図１】本考案の実施例に係るフォイルカッターの斜視図である。
【図２】本考案の実施例に係るフォイルカッターの使用例を示す平面図である。
【図３】本考案の実施例に係るフォイルカッターの他の構成例を示す平面図である。
【図４】本考案の実施例に係るフォイルカッターの他の構成例を示す平面図である。
【考案を実施するための形態】
【００１０】
以下、本考案の実施形態につき、図面を参照しながら説明を行う。
図１は、本考案の実施例に係るフォイルカッター１００の斜視図である。フォイルカッター１００は、フォイルで密封されているワインボトルの上部を通すための略円形の孔５０を片側に有する、隅の角の丸い緩やかなテーパー状の本体部１を備える。孔５０の側が先端部７であり、孔５０の反対側が後端部６である。本体部１の厚さはほぼ均一で約１ｍｍである。本フォイルカッター１００の材料としては、金属や硬質プラスチックなどが適している。
【００１１】
孔側部２、３における本体部１寄りの場所には、孔５０の内側に向けて、それぞれ対称の位置に設けられた２つのカッター４、５が備えられている。カッター４、５の厚さは、フォイルを切断するのに十分な程度に、本体部１などの部分の厚さよりも薄く形成されている。また、カッター４、５より本体部１寄りのところにさらに孔５１が設けられており、孔５０と一体となって孔を形成している。
【００１２】
図２は、本考案の実施例に係るフォイルカッター１００の使用例を示す平面図である。使用者は、フォイルカッター１００の孔５０に、フォイル９０で密封されたワインボトルの上部９１を通して、本体部１の部分を持ち、フォイル９０の周囲をカッター４、５に当てる。その状態で、使用者がワインボトルを片方の手などで固定しておき、本体部１の部分を持って孔５０の方向に押しながら、左右のいずれかの方向Ｒにフォイルカッター１００を回転させると、フォイル９０の周囲がカッター４、５によって切断される。このような動作をフォイル９０の全周囲にわたって行い、フォイル９０の全周囲が切断されるとワインボトルが開封できる。
【００１３】
フォイル９０の周囲を切断する際、ワインボトルをフォイルカッター１００の回転方向と逆の方向に同時に回せば、本フォイルカッター１００を半回転以内で回すだけでフォイル９０の全周囲が切断できる。孔５０の大きさは、フォイル９０の周囲が支障なく入るような大きさに設定されている。また、孔５１については、フォイル９０の周囲の本体部１側（２つのカッター４、５の位置のほぼ中間の部分）が本体部１に接触して切断時の障害とならないように十分な大きさと形状に形成されている。
【００１４】
図３は、本考案の実施例に係るフォイルカッターの他の構成例を示す平面図である。図１及び図２に示したような上記フォイルカッター１００の構成と比べて、本実施例に係るフォイルカッター１０１は、孔５２の大きさが大きくなっており、かつ、孔５０と一体となって動物のデザインを表している。もちろん、この他にも孔の形状による様々なデザインが可能である。孔５２の形状については、使用する際にフォイルが本体部１に当たって切断時の障害にならない形状であればよい。孔５２以外の構成は、図１及び図２に示した上記フォイルカッター１００の構成と同じである。
【００１５】
図４は、本考案の実施例に係るフォイルカッターの他の構成例を示す平面図である。本実施例に係るフォイルカッター１０２は、後端部６における隅の角の丸い略長方形状の本体部１１を備える。後端部６の反対側に接続された２つの略長方形状の突起部１２、１３は、その内側の凹部５４に向かって、それぞれ対称の位置に設けられた２つのカッター４、５を備える。カッター４、５の厚さは、フォイルを切断するのに十分な程度に他の部分の厚さよりも薄くなっている。カッター４、５より本体部１１寄りのところに凹部５３が設けられている。言い換えると、本フォイルカッター１０２は、図１及び図２に示したような上記フォイルカッター１００の構成における先端部７付近を取り去ったような全体構成となっている。
【００１６】
また、本体部１１の側部７１、７２の形状は、内側に湾曲しており、フォイルを切断する際に、使用者が持ちやすく、かつ、滑りにくく、力を入れやすいようになっている。さらに、本体部１１における後端部６寄りの中央付近には、小さい円形の孔１６が設けられており、本フォイルカッター１０２をキーホルダー等に接続して保管や携帯がしやすいようになっている。本フォイルカッター１０２の使用方法は、図２に示したような上記フォイルカッター１００の使用方法とほぼ同様である。すなわち、孔にフォイルで密封されたワインボトルの上部を通すかわりに、直接カッター４、５に当てて、本フォイルカッター１０２を回転させて切断すればよい。
【００１７】
以上のように、本考案の実施例に係るフォイルカッターは、従来のフォイルカッターのような機構的な構成をとらず、カード状なのでテーブルに置いても屋外に持ち出しても、コンパクトで厚みがない分邪魔にならず、手軽に使える。外形寸法は名刺サイズ以内に収まり小型軽量なので、財布などに入れてたえず携帯することができ、気の利いた場面で取り出すことができる。さらに、構造が簡単なため製造コストが少なくて済む。また、ローラー式のカッターを備えた従来のフォイルカッターと比較して、洗浄がしやすく、カッターが錆びにくく、さらに、異物が混入して回転不良となることがない。
【００１８】
本考案は、以上述べた実施形態に限定されることはなく、他にも種々の実施形態を採用することができる。例えば、携帯性はやや損なわれるが、使用する際にさらに持ちやすく、また、押しつけやすいように本体部や後端部６の周辺部分の厚さを数ｍｍ〜数ｃｍ程度に大きくしてもよい。さらに、本体部の形状は実施例で説明した略長方形状以外の例えば棒形状のようなものであってもちろん良い。孔５０の形状は略円形でなくても略方形などでもよい。さらに、カッターを１本または３本以上にする構成を採用してもよい。なお、図１〜図３に示したようなフォイルカッターの構成におけるカッターの設置位置については、孔の先端部７側の位置でもよい。その場合、本体部を後端部６側に引きながらフォイルを切断するような使用方法となる。
【産業上の利用可能性】
【００１９】
本考案は、ワインボトル等のフォイルを開封するためのフォイルカッター等に利用可能である。
【符号の説明】
【００２０】
１、１１  本体部
２、３  孔側部
４、５  カッター
６  後端部
７  先端部
１２、１３  突起部
１６、５０、５１、５２  孔
５３、５４  凹部
７１、７２  本体側部
９０  フォイル
９１  ワインボトルの上部
１００、１０１、１０２  フォイルカッター
【図１】
0003159430.tif 000003
【図２】
0003159430.tif 000004
【図３】
0003159430.tif 000005
【図４】
0003159430.tif 000006